(57)【要約】【課題】既存の開放式遊技システムと互換性のない封入式遊技システムが遊技店に新規に一部導入される場合に、遊技客に対して開放式遊技機及び封入式遊技機の双方での円滑な遊技を可能とすること。【解決手段】封入式専用のカードＣ２に対応付けられたプリペイド価値及び持玉数を使用する封入式遊技機１２０に台間カード処理機３０を併設し、台間カード処理機３０が開放式用のカードＣ１からカードＩＤを読み取って第１カード管理装置４０に問い合わせ、問い合わせに応答して管理装置から返送されるプリペイド価値及び／又は持玉数を封入式遊技機１２０側に通知する。また、台間カード処理機３０が会員管理装置５０に問い合わせ、問い合わせに応答して管理装置から返送される貯玉数を持玉数に換算して封入式遊技機１２０側に通知する。【選択図】図１
2013138782.tif 000002
【特許請求の範囲】
【請求項１】
遊技媒体が機外に投出される開放式遊技機と、該開放式遊技機にて遊技媒体の貸出処理に用いられる第１の有価価値及び／又は第１の持ち遊技媒体数を該開放式遊技機にて利用される開放式用記録媒体の識別情報に対応付けて管理する管理装置とを含む遊技システムであって、
前記開放式用記録媒体と異なる封入式用記録媒体を受け付け、該封入式用記録媒体に対応付けられた第２の有価価値及び／又は第２の持ち遊技媒体数を用いた遊技を提供する封入式遊技機に各台装置を併設し、
前記各台装置は、
前記開放式記録媒体の識別情報を読み取る読取手段と、
前記読取手段で読み取られた識別情報に対応する第１の有価価値及び／又は第１の持ち遊技媒体数を前記管理装置に問い合わせる問合せ手段と、
前記問合せ手段の問い合わせに応答して前記管理装置から返送される第１の有価価値及び／又は第１の持ち遊技媒体数を前記封入式遊技機に通知する通知手段と
を備えたことを特徴とする遊技システム。
【請求項２】
前記管理装置は、前記第１の持ち遊技媒体数を遊技種毎に管理し、
前記各台装置は、前記封入式遊技機より遊技種情報を取得する遊技種情報取得手段をさらに備え、前記問い合わせ手段は、前記読取手段で読み取られた識別情報並びに遊技種情報取得手段で取得された遊技種情報に対応する第１の持ち遊技媒体数を前記管理装置に問い合わせることを特徴とする請求項１に記載の遊技システム。
【請求項３】
前記各台装置は、貯遊技媒体数を前記第１の持ち遊技媒体数に変換する貯遊技媒体数変換手段をさらに備え、前記通知手段は、前記貯遊技媒体数変換手段により変換された第１の持ち遊技媒体数を前記封入式遊技機にさらに通知することを特徴とする請求項１又は２に記載の遊技システム。
【請求項４】
前記封入式遊技機は、記録媒体の返却操作を受け付けた場合に、遊技に使用した後の残有価価値及び／又は残遊技媒体数を前記各台装置に送信する送信手段を備え、
前記各台装置は、前記封入式遊技機より受信した残有価価値及び／又は残遊技媒体数を前記第１の有価価値及び／又は第１の持ち遊技媒体数として前記開放式用記録媒体の識別情報に対応付けて、前記開放式用記録媒体を排出制御する制御手段をさらに備えたことを特徴とする請求項１、２又は３に記載の遊技システム。
【請求項５】
遊技媒体が機外に投出される開放式遊技機にて遊技媒体の貸出処理に用いられる第１の有価価値及び／又は第１の持ち遊技媒体数を該開放式遊技機にて利用される開放式用記録媒体の識別情報に対応付けて管理する管理装置と通信可能に接続されるとともに、前記開放式用記録媒体と異なる封入式用記録媒体に対応付けられた第２の有価価値及び／又は第２の持ち遊技媒体数を用いた遊技を提供する封入式遊技機に併設された各台装置であって、
前記開放式記録媒体の識別情報を読み取る読取手段と、
前記読取手段で読み取られた識別情報に対応する第１の有価価値及び／又は第１の持ち遊技媒体数を前記管理装置に問い合わせる問合せ手段と、
前記問合せ手段の問い合わせに応答して前記管理装置から返送される第１の有価価値及び／又は第１の持ち遊技媒体数を前記封入式遊技機に通知する通知手段と
を備えたことを特徴とする各台装置。
【請求項６】
遊技媒体が機外に投出される開放式遊技機と、該開放式遊技機にて遊技媒体の貸出処理に用いられる第１の有価価値及び／又は第１の持ち遊技媒体数を該開放式遊技機にて利用される開放式用記録媒体の識別情報に対応付けて管理する管理装置とを含む遊技システムの遊技管理方法であって、
前記開放式用記録媒体と異なる封入式用記録媒体を受け付け、該封入式用記録媒体に対応付けられた第２の有価価値及び／又は第２の持ち遊技媒体数を用いた遊技を提供する封入式遊技機に併設された各台装置が、
前記開放式記録媒体の識別情報を読み取る読取工程と、
前記読取工程で読み取られた識別情報に対応する第１の有価価値及び／又は第１の持ち遊技媒体数を前記管理装置に問い合わせる問合せ工程と、
前記問合せ工程の問い合わせに応答して前記管理装置から返送される第１の有価価値及び／又は第１の持ち遊技媒体数を前記封入式遊技機に通知する通知工程と
を含んだことを特徴とする遊技管理方法。
【発明の詳細な説明】
【技術分野】
【０００１】
この発明は、遊技媒体が機外に投出される開放式遊技機と、該開放式遊技機にて遊技媒体の貸出処理に用いられる第１の有価価値及び／又は第１の持ち遊技媒体数を管理する管理装置とを含む遊技システム、各台装置及び遊技管理方法に関する。
【背景技術】
【０００２】
従来、パチンコ店等の遊技店には、一般的に遊技機の機外にパチンコ玉等の遊技媒体を投出する遊技機（以下、「開放式遊技機」と言う）が配設されてきたが、最近になって、他店からの持込玉や異なる貸出レート間の持込玉の問題が顕在化してきたため、かかる持込玉が発生しない封入式遊技機が注目されている。
【０００３】
例えば、特許文献１には、遊技客がパチンコ玉に触れない構造とし、パチンコ玉が入賞すると該入賞分のパチンコ玉数を持玉数に加算し、入賞しない打込玉分のパチンコ玉数を持玉数から減算する封入式遊技機が開示されている。
【０００４】
このため、かかる封入機遊技機を遊技店に新規に一部導入した場合には、遊技店内に封入式遊技機が配設されたコーナーと開放式遊技機が配設されたコーナーが併設され、遊技客は封入式遊技機又は開放式遊技機を適宜選択して遊技できることになる。
【先行技術文献】
【特許文献】
【０００５】
【特許文献１】特開２００２−２３３６３５号公報
【発明の概要】
【発明が解決しようとする課題】
【０００６】
しかしながら、遊技店内に封入式遊技機が配設される際には、封入式遊技機のみに用いることができる専用カード（以下、「封入式専用カード」と言う）が導入される可能性があり、かかる封入式専用カードが導入されると、遊技客は、開放式遊技機用の従前のカード及び封入式専用カードを使い分ける必要が生じ、遊技客が円滑な遊技を行ううえでの阻害要因となる。
【０００７】
その理由は、封入式遊技機及び封入式遊技機用のカード管理装置を含む封入式遊技システムが遊技店に新規に導入される場合に、かかる封入式遊技システムと従前の開放式遊技システムとの間で互換性が確保されるとは限らないからである。加えて、封入式遊技機用の会員管理装置及び景品交換装置等を含めて遊技店に新規に導入される場合には、さらに互換性が大きな問題となる。
【０００８】
これらのことから、既存の開放式遊技システムと互換性のない封入式遊技システムが遊技店に新規に一部導入される場合に、遊技客に対して開放式遊技機及び封入式遊技機の双方での円滑な遊技を可能とする遊技システムをいかに実現するかが重要な課題となっている。
【０００９】
本発明は、上述した従来技術の課題を解消するためになされたものであって、既存の開放式遊技システムと互換性のない封入式遊技システムが遊技店に新規に一部導入される場合に、遊技客に対して開放式遊技機及び封入式遊技機の双方での円滑な遊技を可能とする遊技システム、各台装置及び遊技管理方法を提供することを目的とする。
【課題を解決するための手段】
【００１０】
上述した課題を解決し、目的を達成するため、本発明は、遊技媒体が機外に投出される開放式遊技機と、該開放式遊技機にて遊技媒体の貸出処理に用いられる第１の有価価値及び／又は第１の持ち遊技媒体数を該開放式遊技機にて利用される開放式用記録媒体の識別情報に対応付けて管理する管理装置とを含む遊技システムであって、前記開放式用記録媒体と異なる封入式用記録媒体を受け付け、該封入式用記録媒体に対応付けられた第２の有価価値及び／又は第２の持ち遊技媒体数を用いた遊技を提供する封入式遊技機に各台装置を併設し、前記各台装置は、前記開放式記録媒体の識別情報を読み取る読取手段と、前記読取手段で読み取られた識別情報に対応する第１の有価価値及び／又は第１の持ち遊技媒体数を前記管理装置に問い合わせる問合せ手段と、前記問合せ手段の問い合わせに応答して前記管理装置から返送される第１の有価価値及び／又は第１の持ち遊技媒体数を前記封入式遊技機に通知する通知手段とを備えたことを特徴とする。
【００１１】
また、本発明は、上記発明において、前記管理装置は、前記第１の持ち遊技媒体数を遊技種毎に管理し、前記各台装置は、前記封入式遊技機より遊技種情報を取得する遊技種情報取得手段をさらに備え、前記問い合わせ手段は、前記読取手段で読み取られた識別情報並びに遊技種情報取得手段で取得された遊技種情報に対応する第１の持ち遊技媒体数を前記管理装置に問い合わせることを特徴とする。
【００１２】
また、本発明は、上記発明において、前記各台装置は、貯遊技媒体数を前記第１の持ち遊技媒体数に変換する貯遊技媒体数変換手段をさらに備え、前記通知手段は、前記貯遊技媒体数変換手段により変換された第１の持ち遊技媒体数を前記封入式遊技機にさらに通知することを特徴とする。
【００１３】
また、本発明は、上記発明において、前記封入式遊技機は、記録媒体の返却操作を受け付けた場合に、遊技に使用した後の残有価価値及び／又は残遊技媒体数を前記各台装置に送信する送信手段を備え、前記各台装置は、前記封入式遊技機より受信した残有価価値及び／又は残遊技媒体数を前記第１の有価価値及び／又は第１の持ち遊技媒体数として前記開放式用記録媒体の識別情報に対応付けて、前記開放式用記録媒体を排出制御する制御手段をさらに備えたことを特徴とする。
【００１４】
また、本発明は、遊技媒体が機外に投出される開放式遊技機にて遊技媒体の貸出処理に用いられる第１の有価価値及び／又は第１の持ち遊技媒体数を該開放式遊技機にて利用される開放式用記録媒体の識別情報に対応付けて管理する管理装置と通信可能に接続されるとともに、前記開放式用記録媒体と異なる封入式用記録媒体に対応付けられた第２の有価価値及び／又は第２の持ち遊技媒体数を用いた遊技を提供する封入式遊技機に併設された各台装置であって、前記開放式記録媒体の識別情報を読み取る読取手段と、前記読取手段で読み取られた識別情報に対応する第１の有価価値及び／又は第１の持ち遊技媒体数を前記管理装置に問い合わせる問合せ手段と、前記問合せ手段の問い合わせに応答して前記管理装置から返送される第１の有価価値及び／又は第１の持ち遊技媒体数を前記封入式遊技機に通知する通知手段とを備えたことを特徴とする。
【００１５】
また、本発明は、遊技媒体が機外に投出される開放式遊技機と、該開放式遊技機にて遊技媒体の貸出処理に用いられる第１の有価価値及び／又は第１の持ち遊技媒体数を該開放式遊技機にて利用される開放式用記録媒体の識別情報に対応付けて管理する管理装置とを含む遊技システムの遊技管理方法であって、前記開放式用記録媒体と異なる封入式用記録媒体を受け付け、該封入式用記録媒体に対応付けられた第２の有価価値及び／又は第２の持ち遊技媒体数を用いた遊技を提供する封入式遊技機に併設された各台装置が、前記開放式記録媒体の識別情報を読み取る読取工程と、前記読取工程で読み取られた識別情報に対応する第１の有価価値及び／又は第１の持ち遊技媒体数を前記管理装置に問い合わせる問合せ工程と、前記問合せ工程の問い合わせに応答して前記管理装置から返送される第１の有価価値及び／又は第１の持ち遊技媒体数を前記封入式遊技機に通知する通知工程とを含んだことを特徴とする。
【発明の効果】
【００１６】
本発明によれば、遊技媒体が機外に投出される開放式遊技機と、該開放式遊技機にて遊技媒体の貸出処理に用いられる第１の有価価値及び／又は第１の持ち遊技媒体数を管理する管理装置とを含む遊技システムにおいて、開放式用記録媒体と異なる封入式用記録媒体に対応付けられた第２の有価価値及び／又は第２の持ち遊技媒体数を用いた遊技を提供する封入式遊技機に各台装置を併設し、各台装置が開放式記録媒体の識別情報を読み取って該識別情報に対応する第１の有価価値及び／又は第１の持ち遊技媒体数を前記管理装置に問い合わせ、問い合わせに応答して管理装置から返送される第１の有価価値及び／又は第１の持ち遊技媒体数を封入式遊技機に通知するよう構成したので、既存の開放式遊技システムと互換性のない封入式遊技システムが遊技店に新規に一部導入される場合に、遊技客に対して開放式遊技機及び封入式遊技機の双方での円滑な遊技を可能とすることができる。
【図面の簡単な説明】
【００１７】
【図１】図１は、本実施例に係る遊技システムの概念を説明するための説明図である。
【図２】図２は、本実施例に係る遊技システムのシステム構成を示す図である。
【図３】図３は、図２に示した台間カード処理機及び封入式遊技機の外観構成を示す図である。
【図４】図４は、図２に示した台間カード処理機の内部構成を示すブロック図である。
【図５】図５は、開放式遊技システムのカード管理装置が管理するプリペイド価値及び持玉数を封入式遊技システムで使用する場合の動作について説明するための説明図である。
【図６】図６は、封入式遊技システムで使用したプリペイド価値及び持玉数を開放式遊技システムのカード管理装置が管理する場合の動作について説明するための説明図である。
【図７】図７は、開放式遊技システムの会員管理装置が管理する貯玉を封入式遊技システムで使用する場合の動作について説明するための説明図である。
【図８】図８は、台間カード処理機にカードが挿入された場合の処理手順について説明するフローチャートである。
【図９】図９は、台間カード処理機の遊技中の処理手順について説明するフローチャートである。
【図１０】図１０は、封入式遊技システムの台間カード処理機にカードが挿入された場合の処理手順について説明するフローチャートである。
【図１１】図１１は、封入式遊技システムの台間カード処理機の遊技中の処理手順について説明するフローチャートである。
【発明を実施するための形態】
【００１８】
以下に、添付図面を参照して、本発明に係る遊技システム、各台装置及び遊技管理方法の好適な実施例を詳細に説明する。
【００１９】
本明細書中にあって持玉とは、遊技客が遊技において獲得した遊技媒体または当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技台を移動した場合等に使用する。貯玉は通常、会員遊技客のみが使用可能であり、獲得した遊技媒体を翌日以降の遊技に用いる場合に使用する。貯玉の使用には所定の手数料が課される（手数料は遊技媒体数を減算することで徴収される）ことが通常であるが、時間帯や会員種別によって徴収しないこととしてもよい。
【実施例】
【００２０】
まず、本実施例に係る遊技システムの概念について説明する。図１は、本実施例に係る遊技システムの概念を説明するための説明図である。図１に示す遊技システムは、既存の開放式遊技システムと互換性のない封入式遊技システムが遊技店に新規に一部導入された状態となっている。
【００２１】
封入式遊技システムは、封入式遊技機１２０、台間カード処理機１１０及び第２カード管理装置１４０を有する。封入式遊技機１２０は、装置内部に封入されたパチンコ玉を遊技領域に打ち込んで遊技客がパチンコ遊技を行うパチンコ機等の装置である。台間カード処理機１１０は、封入式遊技機１２０に対応して設置され、封入式遊技機１２０に対するパチンコ玉の貸出を行う装置である。
【００２２】
台間カード処理機１１０は、封入式専用カードであるカードＣ２からカードＩＤを読取り、該カードＩＤに対応付けられた持玉数及びプリペイド価値を第２カード管理装置１４０から取得する。台間カード処理機１１０が第２カード管理装置１４０から取得した持玉数は、封入式遊技機１２０に送信され、封入式遊技機１２０による遊技に使用される。また、台間カード処理機１１０は、第２カード管理装置１４０から取得したプリペイド価値を記憶し、遊技客による玉貸し操作を受け付けた場合には記憶したプリペイド価値を減算して、減算したプリペイド価値に対応する持玉数を封入式遊技機１２０に送信する。
【００２３】
なお、本実施例では、封入式遊技機１２０に台間カード処理機１１０を併設する構成を例示して説明するが、封入式遊技機１２０に台間カード処理機１１０の機能を持たせてもよい。この場合、封入式遊技機１２０が封入式専用カードであるカードＣ２からカードＩＤを読取り、該カードＩＤに対応付けられた持玉数及びプリペイド価値を第２カード管理装置１４０から取得することとなる。
【００２４】
開放式遊技システムは、図示しない開放式遊技機と該開放式遊技機に対応して設置された台間カード処理機に加え、第１カード管理装置４０、会員管理装置５０及び台間カード処理機３０を有する。開放式遊技機に対応して設置された台間カード処理機は、持玉払出処理又は玉貸し処理によりパチンコ玉を機外に投出する。遊技客は、このパチンコ玉を開放式遊技機に投入し、遊技領域に打ち込んでパチンコ遊技を行う。
【００２５】
開放式遊技機に対応して設置された台間カード処理機は、開放式遊技機用の従前のカードＣ１からカードＩＤを読取り、該カードＩＤに対応付けられた持玉数及びプリペイド価値を第１カード管理装置４０から取得して記憶する。開放式遊技機に対応して設置された台間カード処理機は、遊技客による持玉払出操作を受け付けた場合には、持玉数を減算し、減算した持玉数と同数のパチンコ玉を払い出す。また、開放式遊技機に対応して設置された台間カード処理機は、遊技客による玉貸し操作を受け付けた場合には記憶したプリペイド価値を減算して、減算したプリペイド価値に対応する数のパチンコ玉を払い出す。
【００２６】
また、開放式遊技機に対応して設置された台間カード処理機は、カードＩＤに対応付けられた貯玉数を会員管理装置５０から取得して記憶する。開放式遊技機に対応して設置された台間カード処理機は、遊技客による貯玉再プレイ操作を受け付けた場合には、貯玉数を減算し、減算した貯玉数に対応する数のパチンコ玉を払い出す。貯玉再プレイに手数料を掛けない場合には、貯玉数から減算する数と払い出されるパチンコ玉数が一致するが、貯玉再プレイに手数料を掛ける場合には、払い出されるパチンコ玉の数は、貯玉数から減算した数から手数料分を差し引いた数となる。
【００２７】
このように、本実施例にかかる遊技システムでは、開放式遊技システムで持玉及びプリペイド価値を管理する第１カード管理装置４０と、封入式遊技システムで持玉及びプリペイド価値を管理する第２カード管理装置１４０とをそれぞれ設けている。また、貯玉を管理する会員管理装置５０は、開放式遊技システムのみに設けられている。
【００２８】
そこで、開放式遊技システムで登録した持玉、プリペイド価値及び貯玉を封入式遊技機１２０で使用可能とするため、本実施例にかかる遊技システムは、台間カード処理機１１０に対応する台間カード処理機３０を設けている。
【００２９】
この台間カード処理機３０は、カードＣ１から読み取ったカードＩＤに基づいて、第１カード管理装置４０から持玉数とプリペイド価値を取得し、台間カード処理機１１０に送信することで、開放式遊技システムで登録した持玉及びプリペイド価値を封入式遊技システムで使用可能とする。また、台間カード処理機３０は、カードＣ１から読み取ったカードＩＤに基づいて、第１カード管理装置４０から貯玉数を取得して記憶し、遊技客による貯玉再プレイ操作を受け付けたならば、貯玉数を減算して、対応する持玉数を台間カード処理機１１０に送信することで、封入式遊技システムで貯玉を使用可能とする。
【００３０】
また、封入式遊技機１２０は、店員又は遊技客の操作によりレートを変更可能である。そこで、台間カード処理機３０は、台間カード処理機１１０に設定された設定レートを取得し、第１カード管理装置４０にカードＩＤと設定レートとを送信することで、第１カード管理装置４０から対応するレートの持玉数を取得する。同様に、台間カード処理機３０は、会員管理装置５０にカードＩＤと設定レートとを送信することで、会員管理装置５０から対応するレートの貯玉数を取得する。
【００３１】
次に、本実施例に係る遊技システムのシステム構成について説明する。図２は、本実施例に係る遊技システムのシステム構成を示す図である。同図に示すように、この遊技システムは、複数の開放式遊技機２０と、各開放式遊技機にそれぞれ対応して設けられた台間カード処理機１０と、複数の封入式遊技機１２０と、各封入式遊技機１２０にそれぞれ対応して設けられた台間カード処理機１１０と、各台間カード処理機１１０にそれぞれ対応して設けられた台間カード処理機３０と、第１カード管理装置４０及び第２カード管理装置１４０と、会員管理装置５０と、景品管理装置７０と、カードリーダ７０ｂとを有する。
【００３２】
開放式遊技機２０、台間カード処理機１０、台間カード処理機３０、第１カード管理装置４０、会員管理装置５０及び景品管理装置７０は、通信回線９１を介して接続され、開放式遊技システムを構成する。台間カード処理機１０及び台間カード処理機３０は、開放式遊技機用のカードＣ１からカードＩＤを読み取ることができる。また、景品管理装置７０は、内蔵されたカードリーダ７０ａにより、カードＣ１からカードＩＤを読み取ることができる。
【００３３】
封入式遊技機１２０、台間カード処理機１１０及び第２カード管理装置１４０は、通信回線９２を介して接続され、封入式遊技システムを構成する。台間カード処理機１１０は、封入式専用のカードＣ２からカードＩＤを読み取ることができる。また、第２カード管理装置１４０は、景品管理装置７０に外部接続されたカードリーダ７０ｂと通信可能である。カードリーダ７０ｂは、カードＣ２のカードＩＤを読み取り、該カードＩＤに対応する持玉数を第２カード管理装置１４０から取得し、景品管理装置７０に送信することができる。
【００３４】
開放式遊技機２０は、貯留皿に貯留したパチンコ玉を遊技領域に打ち込んで遊技客がパチンコ遊技を行うパチンコ機等の装置である。当該遊技領域には、複数の入賞領域（入賞口）が設けられており、当該入賞領域をパチンコ玉が通過したことに基づいて所定個数のパチンコ玉を賞玉として付与するようになっている。また、遊技領域には、所定個数の始動領域（始動口）が設けられており、当該始動領域をパチンコ玉が通過したことに基づいて所定の抽選を行うこととなっている。当該抽選が大当りとなれば、所定の可動部材等の作動により、前述の入賞領域あるいは他の始動領域へのパチンコ玉の通過確率を向上する等、遊技上有利となる作動が行われる。なお、始動領域と入賞領域を兼ねた領域があってもよい。
【００３５】
上記入賞領域には、当該入賞領域へのパチンコ玉の通過を検出するための所定の検出センサが設けられており、当該センサにより、入賞領域へ打ち込まれたパチンコ玉の通過（入賞）を検出するようになっている。また、開放式遊技機２０は、入賞領域ごとに何個のパチンコ玉を賞玉として付与するかを記憶する賞玉メモリを有する。
【００３６】
したがって、打ち込んだパチンコ玉の特定の入賞領域への通過がセンサにより検出されると、賞玉メモリの記憶内容と、入賞領域を通過したパチンコ玉数から付与すべき賞玉数を決定し、決定した賞玉数のパチンコ玉を払い出す。
【００３７】
台間カード処理機１０は、開放式遊技機２０に対するパチンコ玉の貸し出しを行う装置である。台間カード処理機１０は、遊技客が投入した紙幣を受け付けたならば、この紙幣分のプリペイド価値を記憶する。また、台間カード処理機１０は、カードＣ１を受け付けたならば、該カードに対応付けられたプリペイド価値及び持玉数を第１カード管理装置４０から取得して記憶する。また、該カードに対応付けられた貯玉数を会員管理装置５０から取得して記憶する。
【００３８】
台間カード処理機１０は、遊技客による玉貸操作を検知したならば、所定値をプリペイド価値から減算し、減算したプリペイド価値に対応する数のパチンコ玉を開放式遊技機２０の貯留皿に払い出す。
【００３９】
また、台間カード処理機１０は、遊技客による持玉払出操作を検知したならば、所定値を持玉数から減算し、減算した持玉数と同数のパチンコ玉を開放式遊技機２０の貯留皿に払い出す。また、台間カード処理機１０は、遊技客による貯玉再プレイ操作を検知したならば、所定値を貯玉数から減算し、減算したプリペイド価値に対応する数のパチンコ玉を開放式遊技機２０の貯留皿に払い出す。
【００４０】
また、台間カード処理機１０は、各台計数ユニットを有し、計数ユニットに投入されたパチンコ玉を計数して計数結果を持玉数に加算する。また、台間カード処理機１０は、カード返却操作を受け付けたならば、プリペイド価値及び持玉数をカードＣ１に対応付けて排出する処理を行う。
【００４１】
封入式遊技機１２０は、装置内部に封入されたパチンコ玉を遊技領域に打ち込んで遊技客がパチンコ遊技を行うパチンコ機等の装置である。この封入式遊技機１２０は、持玉数の範囲内で、遊技領域にパチンコ玉を打ち込むことができる。当該遊技領域には、複数の入賞領域（入賞口）が設けられており、当該入賞領域をパチンコ玉が通過したことに基づいて所定個数のパチンコ玉を賞玉として付与するようになっている。また、遊技領域には、所定個数の始動領域（始動口）が設けられており、当該始動領域をパチンコ玉が通過したことに基づいて所定の抽選を行うこととなっている。当該抽選が大当りとなれば、所定の可動部材等の作動により、前述の入賞領域あるいは他の始動領域へのパチンコ玉の通過確率を向上する等、遊技上有利となる作動が行われる。なお、始動領域と入賞領域を兼ねた領域があってもよい。
【００４２】
上記入賞領域には、当該入賞領域へのパチンコ玉の通過を検出するための所定の検出センサが設けられており、当該センサにより、入賞領域へ打ち込まれたパチンコ玉の通過（入賞）を検出するようになっている。また、封入式遊技機１２０は、入賞領域ごとに何個のパチンコ玉を賞玉として付与するかを記憶する賞玉メモリを有する。また、封入式遊技機１２０は、遊技客が遊技に使用できる持玉数を記憶する持玉データを記憶部に記憶させている。
【００４３】
したがって、打ち込んだパチンコ玉の特定の入賞領域への通過がセンサにより検出されると、賞玉メモリの記憶内容と、入賞領域を通過したパチンコ玉数から付与すべき賞玉数を決定し、決定した賞玉数を持玉データが示す持玉数に加算して記憶内容を更新する。また、台間カード処理機１１０からカード排出操作に基づく持玉数の通知要求があったなら、持玉データが示す持玉数を台間カード処理機１０に通知して、持玉データを「０」にクリアする。さらに、台間カード処理機１１０から玉貸し操作に基づく持玉数の通知を受けた場合には、通知された持玉数を持玉データに示された持玉数に加算して記憶内容を更新する。
【００４４】
台間カード処理機１１０は、封入式遊技機１２０に対するパチンコ玉の貸し出しを行う装置である。台間カード処理機１１０は、遊技客が投入した紙幣を受け付けたならば、この紙幣分のプリペイド価値を記憶する。
【００４５】
また、台間カード処理機１１０は、封入式遊技機１２０から設定レートを取得する。台間カード処理機１１０は、カードＣ２を受け付けたならば、該カードのカードＩＤ及び設定レートを第１カード管理装置４０に送信する。台間カード処理機１１０は、第２カード管理装置１４０から受信したプリペイド価値を記憶し、第２カード管理装置１４０から受信した持玉数を封入式遊技機１２０に送信する。また、台間カード処理機１１０は、台間カード処理機３０からプリペイド価値を受信したならば、受信したプリペイド価値を記憶し、台間カード処理機３０から持玉数を受信したならば、受信した持玉数を封入式遊技機１２０に送信する。
【００４６】
台間カード処理機１１０は、遊技客により玉貸しボタンが操作されたならば、設定レートに対応付けられた値をプリペイド価値から減算し、減算したプリペイド価値及び設定レートに対応する持玉数を示すデータを封入式遊技機１２０に送信することでパチンコ玉の貸し出しを行う。
【００４７】
また、台間カード処理機１１０は、カード返却操作を受け付けた場合に、カードＣ２を挿入されているならば、プリペイド価値及び持玉数をカードに対応付けて排出し、カードＣ２を挿入されていなければ、プリペイド価値及び持玉数を台間カード処理機３０に送信する。
【００４８】
台間カード処理機３０は、カードＣ１に対応付けられたプリペイド価値、持玉及び貯玉を取得し、封入式遊技機１２０で利用可能とする装置である。台間カード処理機３０は、台間カード処理機１１０から設定レートを取得して記憶する。台間カード処理機３０は、カードＣ１を受け付けたならば、該カードのカードＩＤ及び設定レートを第１カード管理装置４０及び会員管理装置５０に送信する。
【００４９】
台間カード処理機３０は、第１カード管理装置４０から受信したプリペイド価値及び持玉数を台間カード処理機１１０に送信する。また、台間カード処理機３０は、会員管理装置５０から受信した貯玉数を記憶する。台間カード処理機３０は、遊技客による貯玉再プレイ操作を検知したならば、所定値を貯玉数から減算し、減算したプリペイド価値に対応する持玉数を台間カード処理機１１０に送信する。
【００５０】
また、台間カード処理機３０は、台間カード処理機１１０からプリペイド価値及び持玉数を受信したならば、プリペイド価値、持玉数及び貯玉数をカードＣ１に対応付けて排出する処理を行う。
【００５１】
第１カード管理装置４０は、台間カード処理機１０及び３０からカードＩＤ、プリペイド価値及び持玉数を受信したならばカードデータを更新する。第１カード管理装置４０は、台間カード処理機１０からカードＩＤを受信したならば、該カードＩＤに対応付けられたプリペイド価値及び持玉数を台間カード処理機１０に通知する。また、第１カード管理装置４０は、台間カード処理機３０からカードＩＤ及び設定レートを受信したならば、該カードＩＤに対応づけられたプリペイド価値と、該カードＩＤ及び設定レートに対応づけられた持玉数とを台間カード処理機３０に通知する。また、第１カード管理装置４０は、景品管理装置７０からカードＩＤを受信したならば、このカードＩＤに対応づけられた持玉数を景品管理装置７０に対して通知する。
【００５２】
第２カード管理装置１４０は、台間カード処理機１１０からカードＩＤ、設定レート、プリペイド価値及び持玉数を受信したならばカードデータを更新し、台間カード処理機１１０からカードＩＤ及び設定レートを受信したならば、該カードＩＤに対応付けられたプリペイド価値と、該カードＩＤ及び設定レートに対応付けられた持玉数とを台間カード処理機１１０に通知する。また、第１カード管理装置４０は、カードリーダ７０ｂからカードＩＤを受信したならば、このカードＩＤに対応付けられた持玉数をカードリーダ７０ｂに対して通知する。
【００５３】
会員管理装置５０は、遊技店に会員登録された会員の会員データを管理する管理装置である。具体的には、会員に対して発行した会員カードのカードＩＤに対応づけて、貯玉、ポイント、来店回数、遊技履歴、暗証番号及び氏名等を管理する。
【００５４】
景品管理装置７０は、遊技店内の景品交換カウンタに併設された景品交換用の端末装置であり貯玉及び持玉の景品交換処理を行う。景品管理装置７０には、カードＣ１からカードＩＤを読み取るカードリーダ７０ａが内蔵されるとともに、カードＣ２からカードＩＤを読み取るカードリーダ７０ｂ並びに景品を払い出す景品払出装置が接続されている。景品管理装置７０は、カードリーダ７０ａがカードＣ１を受け付けた場合には、カードリーダ７０ａで読み出したカードのカードＩＤを第１カード管理装置４０に送信して、該カードの持玉数を要求する。また、貯玉を景品交換する場合は、会員管理装置５０に対して貯玉数を要求する。また、カードリーダ７０ｂから持玉数を受信する。
【００５５】
カードリーダ７０ｂは、カードＣ２を受け付けた場合には、カードＣ２からカードＩＤを読み出して第２カード管理装置１４０に送信し、該カードの持玉数を要求する。カードリーダ７０ｂは、第２カード管理装置１４０から受信した持玉数を景品管理装置７０に送信する。
【００５６】
次に、図２に示した台間カード処理機３０、台間カード処理機１１０及び封入式遊技機１２０の外観構成について説明する。図３は、図２に示した台間カード処理機３０、台間カード処理機１１０及び封入式遊技機１２０の外観構成を示す図である。同図には紙幣のみを受け付ける台間カード処理機１１０を図示したが、硬貨受け付け用のユニットを設けることもできる。
【００５７】
図３に示すように、台間カード処理機３０は、ディスプレイなどの表示部並びにテンキーや各種ボタンを含む操作部からなる表示操作部３１と、カードＣ１を受け付けるカード挿入口３２ａとが設けられている。
【００５８】
また、台間カード処理機１１０は、台間カード処理機１１０の装置の状態を所定色のランプの点灯あるいは点滅で表示する状態表示部１１と、パチンコ玉を貸し出す際の各種紙幣を受け付ける紙幣挿入口１２とを有する。また、台間カード処理機１１０は、ディスプレイなどの表示部並びにテンキーや各種ボタンを含む操作部からなる表示操作部１３と、カードＣ２を受け付けるカード挿入口１４とが設けられている。
【００５９】
また、封入式遊技機１２０には、封入されたパチンコ玉を遊技領域に打ち込む際に使用するハンドル２１と、プリペイド価値の残数を表示するプリペイド価値表示部２２と、持玉数を表示する持玉数表示部２３とが設けられている。
【００６０】
次に、図２に示した台間カード処理機３０及び台間カード処理機１１０の内部構成について説明する。図４は、図２に示した台間カード処理機３０及び台間カード処理機１１０の内部構成を示すブロック図である。図４に示すように、台間カード処理機３０は、表示操作部３１と、カードリーダライタ３２と、通信部３３と、記憶部３４と、制御部３５とを有する。
【００６１】
カードリーダライタ３２は、カード挿入口３２ａに挿入されたカードＣ１に記憶されたカードＩＤを読み取る読取部である。なお、カード挿入口３２ａに挿入されたカードは、このカードリーダライタ３２を経て図示しないカード収納部に収納される。
【００６２】
通信部３３は、第１カード管理装置４０、会員管理装置５０及び台間カード処理機１１０との間のデータ通信を行うためのインタフェース部である。この通信部３３は、セキュリティチップ部を有している。セキュリティチップは、自己の識別ＩＤ及び所定の暗号化・復号化プログラムを有するものであり、台間カード処理機１１０のセキュリティチップとの間で通信を行うためのものである。セキュリティチップは、通信部３３から入出力するデータが予め定められたセキュリティ性を要するデータ種別に該当するかどうかを判別し、該当しない場合はそのままデータの入出力を行う。一方、セキュリティ性を要するデータ種別に該当する場合は、データの入出力に際し、自己の識別ＩＤと相手方の識別ＩＤを用いて、台間カード処理機１１０のセキュリティチップとの間で相互認証処理を行う。ここで相互認証ＯＫであれば、出力の場合は暗号化プログラムにより暗号化したデータを出力し、入力の場合は、相手方からのデータの入力待ちとなって、受信したデータの復号化を行う。台間カード処理機１１０のセキュリティチップとの間では、予め暗号化・復号化方式が取り決められており、相互に相手方が暗号化したデータを復号化することが可能となっている。ここで、セキュリティ性を要しないデータとは、返却ボタン等の入力信号等、不正に入力されても実質的に損害のないものが含まれる。セキュリティ性を要するデータとは、持玉数、不正検出信号、貸玉の通知、貸玉の使用通知、設定レートなど、遊技客・遊技店の利益に直接かかわるものが含まれる。また、セキュリティ性を要するデータ種別かどうかの判断は、制御部３５で行っても良い。
【００６３】
また、台間カード処理機１１０との相互認証にてＮＧとなった場合には、台間カード処理機３０は、上位装置および自機の表示部に異常を出力した上で、エラーダウンする。また、台間カード処理機１１０がエラーダウンした場合には、台間カード処理機３０は台間カード処理機１１０のエラーダウンに連動してエラーダウンする。台間カード処理機１１０のエラーダウンは、例えば台間カード処理機１１０と遊技機との相互認証がＮＧとなった場合に発生する。また、台間カード処理機３０は、会員管理装置５０からの指示によりカードロック（カード排出禁止）した場合にも、エラーダウンする。また、台間カード処理機１１０あるいは台間カード処理機３０でカードの取り忘れがあった場合には、カードの取り忘れの報知と連動してエラーダウンする。なお、カードの取り忘れがあった場合には、エラーダウンに代えて所定時間経過後にカードロックをしてもよい。
【００６４】
記憶部３４は、ハードディスク装置や不揮発性メモリ等からなる記憶デバイスであり、カードＩＤ３４ａ、貯玉データ３４ｂ及び設定レートデータ３４ｃを記憶する。カードＩＤ３４ａは、カードリーダライタ３２で読み取られたカードＩＤである。図示しないカード収納部からカード挿入口３２ａにカードが搬送され、該カードが排出される場合には、この搬送途中でカードリーダライタ３２により読み取られたカードＩＤによりカードＩＤ３４ａが更新される。また、カード挿入口３２ａから図示しないカード収納部にカードが搬送される場合にも、この搬送途中でカードリーダライタ３２により読み取られたカードＩＤによりカードＩＤ３４ａが更新される。
【００６５】
貯玉データ３４ｂは、カードＩＤ３４ａ及び設定レートデータ３４ｃに対応付けられた貯玉数を示すデータである。カードＩＤ３４ａ及び設定レートデータ３４ｃを会員管理装置５０に送信すると、会員管理装置５０は、カードＩＤ３４ａ及び設定レートデータ３４ｃに対応付けられた貯玉数を送信される。貯玉データ３４ｂは、会員管理装置５０から貯玉数を受信した場合に更新される。また、貯玉再プレイ操作を検知した場合には、貯玉データ３４ｂは、所定数減算される。
【００６６】
設定レートデータ３４ｃは、パチンコ玉を貸し出す際のレートを示す。台間カード処理機１１０は、パチンコ玉１玉を何円で貸し出すかを遊技客又は店員の操作により変更することができる。台間カード処理機１０は、台間カード処理機１１０より取得した設定レートを取得して、設定レートデータ３４ｃとして記憶部３４に記憶させる。
【００６７】
制御部３５は、台間カード処理機３０を全体制御する制御部であり、データ管理部３５ａ、カード処理部３５ｂ、レート取得部３５ｃ及び貯玉再プレイ処理部３５ｄを有する。データ管理部３５ａは、プリペイド価値、持玉及び貯玉を管理する管理部である。
【００６８】
データ管理部３５ａは、カードＣ１が挿入され、カードＩＤ３４ａが更新された場合に、記憶部３４からカードＩＤ３４ａ及び設定レートデータ３４ｃを読み出して、第１カード管理装置４０及び会員管理装置５０に送信する。また、第１カード管理装置４０よりプリペイド価値及び持玉数を受信したならば、受信したプリペイド価値及び持玉数を台間カード処理機１１０に送信する。また、会員管理装置５０より貯玉数を受信したならば、受信した貯玉数を貯玉データ３４ｂとして記憶部３４に記憶させる。
【００６９】
また、データ管理部３５ａは、カード排出指示を受け付けたならば、カードＩＤ３４ａ、貯玉データ３４ｂ及び設定レートデータ３４ｃを読み出して会員管理装置５０に送信し、会員管理装置５０の会員データを更新させた後、貯玉データ３４ｂを零にクリアする。また、カード排出指示を受け付けた際に、台間カード処理機１０よりプリペイド価値及び持玉数を受信したならば、データ管理部３５ａは、受信したプリペイド価値、受信した持玉数、カードＩＤ３４ａ及び設定レートデータ３４ｃを第１カード管理装置４０に送信し、第１カード管理装置４０のカードデータを更新させる。
【００７０】
カード処理部３５ｂは、カード挿入口３２ａにカードが挿入されたならば、該カードが開放式遊技システムで用いるカードＣ１であるか否かを判定する。挿入されたカードがカードＣ１でなければ、カード処理部３５ｂはカードを排出する。対応する台間カード処理機１１０と通信可能な状態であれば、隣接する機器に挿入するよう促す表示を行ってもよい。一方、挿入されたカードがカードＣ１であるならば、カード処理部３５ｂは、カードリーダライタ３２によりカードＩＤを読み取らせ、カードＩＤ３４ａとして記憶部３４に記憶させる。
【００７１】
また、カード処理部３５ｂは、カードの排出時には、データ管理部３５ａによる会員データ及びカードデータの更新が行われた後に、カードを排出制御し、カードＩＤ３４ａをクリアする。
【００７２】
レート取得部３５ｃは、台間カード処理機１１０から設定レートを取得し、設定レートデータ３４ｃとして記憶部３４に記憶させる処理を行う。台間カード処理機１１０からの設定レートの取得は、開店時や台間カード処理機１１０によるレート変更時に行う。
【００７３】
貯玉再プレイ処理部３５ｄは、遊技客による持玉再プレイ操作を受け付けたならば、貯玉データ３４ｂが示す貯玉数から所定値を減算し、減算した貯玉数に対応する持玉数を台間カード処理機１１０に送信する処理を行う。
【００７４】
台間カード処理機１１０は、表示操作部１３と、カードリーダライタ１０ａと、紙幣搬送部１０ｂと、通信部１０ｃと、記憶部１０ｅと、制御部１０ｆとを有する。カードリーダライタ１０ａは、カード挿入口１４に挿入されたカードに記憶されたカードＩＤを読み取る読取部である。なお、カード挿入口１４に挿入されたカードは、このカードリーダライタ１０ａを経て図示しないカード収納部に収納される。
【００７５】
紙幣搬送部１０ｂは、紙幣挿入口１２から挿入された紙幣の金種及び真偽を判別しつつ図示しない紙幣収納部に搬送する搬送部である。通信部１０ｃは、台間カード処理機３０、封入式遊技機１２０及び第１カード管理装置４０との間のデータ通信を行うためのインタフェース部である。
【００７６】
通信部１０ｃは、セキュリティチップ部を有している。セキュリティチップは、自己の識別ＩＤ及び所定の暗号化・復号化プログラムを有するものであり、封入式遊技機１２０及び台間カード処理機３０のセキュリティチップとの間で通信を行うためのものである。セキュリティチップは、通信部１０ｃから入出力するデータが予め定められたセキュリティ性を要するデータ種別に該当するかどうかを判別し、該当しない場合はそのままデータの入出力を行う。一方、セキュリティ性を要するデータ種別に該当する場合は、データの入出力に際し、自己の識別ＩＤと相手方の識別ＩＤを用いて、封入式遊技機１２０又は台間カード処理機３０のセキュリティチップとの間で相互認証処理を行う。ここで相互認証ＯＫであれば、出力の場合は暗号化プログラムにより暗号化したデータを出力し、入力の場合は、相手方からのデータの入力待ちとなって、受信したデータの復号化を行う。封入式遊技機１２０及び台間カード処理機３０のセキュリティチップとの間では、予め暗号化・復号化方式が取り決められており、相互に相手方が暗号化したデータを復号化することが可能となっている。ここで、セキュリティ性を要しないデータとは、返却ボタン等の入力信号等、不正に入力されても実質的に損害のないものが含まれる。セキュリティ性を要するデータとは、持玉数、不正検出信号、貸玉の通知、貸玉の使用通知、設定レートなど、遊技客・遊技店の利益に直接かかわるものが含まれる。また、セキュリティ性を要するデータ種別かどうかの判断は、制御部１０ｆで行っても良い。また、相互認証にてＮＧとなった場合には、相互認証ＮＧを検知した機器（遊技機あるいは台間カード処理機）は上位装置および自機の表示部に異常を出力した上で、エラーダウンする。
【００７７】
記憶部１０ｅは、ハードディスク装置や不揮発性メモリ等からなる記憶デバイスであり、カードＩＤ１０ｅ１、プリペイド価値データ１０ｅ３、設定レートデータ１０ｅ４を記憶する。
【００７８】
カードＩＤ１０ｅ１は、カードリーダライタ１０ａで読み取られたカードＩＤである。図示しないカード収納部からカード挿入口１４にカードが搬送され、該カードが排出される場合には、この搬送途中でカードリーダライタ１０ａにより読み取られたカードＩＤによりカードＩＤ１０ｅ１が更新される。また、カード挿入口１４から図示しないカード収納部にカードが搬送される場合にも、この搬送途中でカードリーダライタ１０ａにより読み取られたカードＩＤによりカードＩＤ１０ｅ１が更新される。
【００７９】
プリペイド価値データ１０ｅ３は、遊技客の現時点のプリペイド価値の残数を示す。プリペイド価値は、入金、台間カード処理機３０からの受信、若しくはプリペイド価値が対応付けられたカードの挿入により加算され、玉貸し操作により減算される。
【００８０】
設定レートデータ１０ｅ４は、パチンコ玉を貸し出す際のレートを示す。台間カード処理機１１０は、パチンコ玉１玉を何円で貸し出すかを遊技客又は店員の操作により変更することができる。
【００８１】
制御部１０ｆは、台間カード処理機１１０を全体制御する制御部であり、データ管理部１０ｆ１、紙幣処理部１０ｆ２、カード処理部１０ｆ３及びレート設定部１０ｆ４を有する。
【００８２】
データ管理部１０ｆ１は、記憶部１０ｅに記憶したプリペイド価値データ１０ｅ３及び設定レートデータ１０ｅ４を用いて、プリペイド価値を管理する管理部である。データ管理部１０ｆ１は、遊技客により玉貸し操作が行われると、プリペイド価値データ１０ｅ３が示すプリペイド価値から所定値を減算し、設定レートデータ１０ｅ４に示されたレートに対応する持玉数を封入式遊技機１２０に送信し、封入式遊技機１２０の持玉数に加算させる。
【００８３】
また、データ管理部１０ｆ１は、紙幣挿入口１２に紙幣が挿入されると、この紙幣分に相当するプリペイド価値をプリペイド価値データ１０ｅ３に加算する。また、データ管理部１０ｆ１は、カードＣ２が挿入され、カードＩＤ１０ｅ１が更新された場合に、記憶部１０ｅからカードＩＤ１０ｅ１及び設定レートデータ１０ｅ４を読み出して、第２カード管理装置１４０に送信する。
【００８４】
データ管理部１０ｆ１は、第２カード管理装置１４０よりプリペイド価値を受信したならば、受信したプリペイド価値をプリペイド価値データ１０ｅ３に加算する。また、第２カード管理装置１４０より持玉数を受信したならば、受信した持玉数を封入式遊技機１２０に送信して、封入式遊技機１２０の持玉数に加算させる。
【００８５】
また、データ管理部１０ｆ１は、台間カード処理機３０よりプリペイド価値を受信したならば、受信したプリペイド価値をプリペイド価値データ１０ｅ３に加算する。また、台間カード処理機３０より持玉数を受信したならば、受信した持玉数を封入式遊技機１２０に送信して、封入式遊技機１２０の持玉数に加算させる。
【００８６】
なお、ここでは説明の便宜上、「加算」及び「減算」を行う場合を示しているが、例えばプリペイド価値データ１０ｅ３そのものに加算するのではなく、加算した値でプリペイド価値データ１０ｅ３を更新することも可能である。
【００８７】
また、データ管理部１０ｆ１は、遊技客によるカード返却操作を受け付けた場合に、カードＣ２が挿入されているならば、封入式遊技機１２０より持玉数を取得し、取得した持玉数、プリペイド価値データ１０ｅ３、設定レートデータ１０ｅ４及びカードＩＤ１０ｅ１を第２カード管理装置１４０に送信し、第２カード管理装置１４０のカードデータを更新させた後、プリペイド価値データ１０ｅ３を零にクリアする。
【００８８】
また、データ管理部１０ｆ１は、遊技客によるカード返却操作を受け付けた場合に、カードＣ２が挿入されていなければ、台間カード処理機３０にカード排出指示を送信する。また、データ管理部１０ｆ１は、封入式遊技機１２０より持玉数を取得し、取得した持玉数とプリペイド価値データ１０ｅ３のいずれかが零より大きいならば、持玉数とプリペイド価値データ１０ｅ３とをカード排出指示とともに台間カード処理機３０に送信し、プリペイド価値データ１０ｅ３を零にクリアする。
【００８９】
紙幣処理部１０ｆ２は、紙幣挿入口１２から受け付けた紙幣を搬送制御しつつ該紙幣の金種識別及び真偽識別を行った後に、該紙幣を図示しない紙幣収納部に収納する処理部である。
【００９０】
カード処理部３５ｂは、カード挿入口３２ａにカードが挿入されたならば、該カードが封入式遊技システムで用いるカードＣ２であるか否かを判定する。挿入されたカードがカードＣ２でなければ、カード処理部１０ｆ３はカードを排出する。台間カード処理機１１０は、排出時において台間カード処理機３０と通信可能な状態であれば、隣接する機器に挿入するよう促進する旨の表示を行う。この際、台間カード処理機１１０は、カードＣ１の一部のデータ（コードなど）を読み取ることによって、カードの規格のみを識別できるようにしておき、カードＣ１であるときのみ、上述の促進表示を行ってもよい。一方、挿入されたカードがカードＣ２であるならば、カード処理部１０ｆ３は、カードリーダライタ１０ａによりカードＩＤを読み取らせ、カードＩＤ１０ｅ１として記憶部１０ｅに記憶させる。また、カード処理部３５ｂは、カードＣ２が会員カードであった場合には、カード管理装置３０を介して会員管理装置５０と通信する。
【００９１】
また、カード処理部１０ｆ３は、遊技客によるカード返却操作を受け付けた場合には、データ管理部１０ｆ１によるカードデータの更新が行われた後に、カードを排出制御し、カードＩＤ１０ｅ１をクリアする。
【００９２】
レート設定部１０ｆ４は、レートを設定する処理を行う処理部である。レート設定部１０ｆ４は、レート設定に係る動作モードとして、「遊技客の操作によりレートの変更を許可する動作モード」、「店員の操作によりレートの変更を許可するモード」及び「レートの変更を許可しない動作モード」を有する。動作モードの変更は、上位装置からの制御や、スイッチ操作により行う。店員の操作によるレート設定を許可する場合には、店員が携行する店員リモコン等の店員携帯端末（以下、店員端末）と赤外線通信などの非接触通信で通信し、該店員端末から受信した端末識別情報をもとに、上位装置に当該店員端末が正当なものであるかどうかの問い合わせを行うことにより、店員端末の認証を行う。また、認証に際しては端末識別情報だけでなく、店員を特定する識別情報をも店員端末から受信し、通信を行った店員をこれにより特定することが好ましい。なお、店員操作によるレート設定は、開店時や閉店時に行う場合と、営業中に遊技客の要望で行う場合とを含む。
【００９３】
店員の操作によるレート設定を許可するモードを使用し、開店時や閉店時、すなわち営業時間外にレート変更を行う場合には、レート設定部１０ｆ４は、開店による電源投入時に設定されたレートを読み込んで、その後の動作に用いる。
【００９４】
台間カード処理機１１０及び台間カード処理機３０は、会員カードを受け付けている場合、他方への一般カードの受け付けは許容し、会員カードの受け付けは拒否して排出してもよい。また、一方にカード（会員カード又は一般カード）を受け付けている場合は、他方をロックしてカード挿入不能としてもよい。
【００９５】
また、台間カード処理機３０でカードＣ１を受け付けたときには、持玉数の有無を確認し、持玉ありの場合には直前の遊技機が開放式か否かを確認する。直前遊技機が開放式の場合、前回持玉記録時のデータを第１カード管理装置４０に問い合わせる。問い合わせの結果、持玉数が増加している場合は、増加量が適正範囲かどうかを確認する。増加量が適正範囲内であるならば、封入式側である台間カード処理機１１０に持玉数を示すデータを送信する。また、挿入されたカードがオフライン時に発行されたオフラインカードである場合も、同様に増加量を確認する。
【００９６】
増加量が適正範囲であるか否かの判定は、第１カード管理装置４０が行う。また、増加量が適正範囲内であるか否かは、遊技店側が予め定めた範囲内の増加量であるか否かにより判定する。あるいは、単位時間当りの増加量の標準値を予め定め、前回受け付け時からの増加量が該標準値と時間との積算値の範囲内の増加量であるか否かにより判定してもよい。なお、ここでは持玉数が増加している場合に増加量が適正範囲内であるか否かを判定しているが、持玉数が前回と変化している場合には、減少している場合も含めて持玉数の変化量が適正範囲内であるか否かを判定してもよい。
【００９７】
増加量が適正範囲外であるならば、該カードは、景品管理装置７０に読み取らせ、店員による確認を受けることを条件に使用可能とする。景品管理装置７０でオフラインカードを受け付けた場合、オフラインで発行された旨を表示する。景品管理装置７０には、景品交換処理用の操作ボタンに加え、増加量の適正判定用の操作ボタンを設ける。増加量の適正判定用の操作ボタンが店員により押下操作されると、操作を行った店員（担当者）の記録を残すとともにカードのオフラインフラグを消去することなる。
【００９８】
一方、直前の遊技機が封入式の場合は、通常通り該当データがあるかどうか確認して使用を許可する。
【００９９】
また、台間カード処理機１０でカードＣ１を受け付けたときには、第２カード管理装置１４０に該当データの存在を確認し、該当データが存在するならば開放式で使用可能とする。
【０１００】
なお、台間カード処理機３０でカードＣ１を受け付けたときには、封入式から開放式に持玉を移行した記録を残す。同様に、台間カード処理機１０でカードＣ１を受け付けたときには、開放式から封入式に持玉を移行した記録を残す。
【０１０１】
このように、カード（媒体）に記録された直前の遊技履歴が開放式遊技機によるものであるか封入式遊技機によるものであるかによって、媒体の持玉データの受付処理を異ならせる。この事により、開放式遊技機の遊技媒体データのセキュリティレベル・信頼性が封入式遊技機の遊技媒体データのセキュリティレベル・信頼性よりも著しく低い場合であっても、データの正当性を確認してから封入式遊技機側に移行させることができる。このため、封入式遊技機側のセキュリティレベル・信頼性が低下することはない。
【０１０２】
次に、開放式遊技システムの第１カード管理装置４０が管理するプリペイド価値及び持玉数を封入式遊技システムで使用する場合の動作について説明する。図５は、開放式遊技システムの第１カード管理装置４０が管理するプリペイド価値及び持玉数を封入式遊技システムで使用する場合の動作について説明するための説明図である。
【０１０３】
図５に示すように、台間カード処理機３０は、台間カード処理機１１０より設定レートを取得している（１）。台間カード処理機３０は、カードＣ１を挿入されると、カードＣ１よりカードＩＤを読み取って（２）、カードＩＤ及び設定レートを第１カード管理装置４０に送信する（３）。
【０１０４】
第１カード管理装置４０は、カードＩＤと、プリペイド価値と、４円レートの持玉数と、２円レートの持玉数と、１円レートの持玉数とを対応付けたカードデータを管理している。第１カード管理装置４０は、台間カード処理機３０よりカードＩＤ及び設定レートを受信したならば、受信したカードＩＤに対応付けられたプリペイド価値と、受信したカードＩＤに対応付けられた持玉数のうち設定レートに対応するレートの持玉数とを台間カード処理機３０に送信する。
【０１０５】
台間カード処理機３０は、第１カード管理装置４０よりプリペイド価値及び持玉数を受信し（４）、受信したプリペイド価値及び持玉数を台間カード処理機１１０に送信する（５）。これにより、台間カード処理機１１０は、第１カード管理装置４０で管理するプリペイド価値及び持玉数を使用することが可能となる。
【０１０６】
次に、封入式遊技システムで使用したプリペイド価値及び持玉数を開放式遊技システムの第１カード管理装置４０が管理する場合の動作について説明する。図６は、封入式遊技システムで使用したプリペイド価値及び持玉数を開放式遊技システムの第１カード管理装置４０が管理する場合の動作について説明するための説明図である。
【０１０７】
図６に示すように、台間カード処理機３０は、台間カード処理機１１０よりプリペイド価値及び持玉数を受信すると（１）、受信したプリペイド価値、受信した持玉数、自装置で記憶したカードＩＤ並びに自装置で記憶した設定レートを第１カード管理装置４０に送信する（２）。
【０１０８】
第１カード管理装置４０は、受信したカードＩＤに対応付けられたプリペイド価値を、受信したプリペイド価値に置き換えて更新する。また、受信したカードＩＤに対応付けられた持玉数のうち設定レートに対応するレートの持玉数と受信した持玉数に置き換えて更新する。かかるカードデータの更新の後、第１カード管理装置４０は、更新完了通知を台間カード処理機３０に送信する（３）。台間カード処理機３０は、第１カード管理装置４０より更新完了通知を受信した後、カードＣ１を排出する（４）。
【０１０９】
次に、開放式遊技システムの会員管理装置５０が管理する貯玉を封入式遊技システムで使用する場合の動作について説明する。図７は、開放式遊技システムの会員管理装置５０が管理する貯玉を封入式遊技システムで使用する場合の動作について説明するための説明図である。
【０１１０】
図７に示すように、台間カード処理機３０は、台間カード処理機１１０より設定レートを取得している（１）。台間カード処理機３０は、カードＣ１を挿入されると、カードＣ１よりカードＩＤを読み取って（２）、カードＩＤ及び設定レートを会員管理装置５０に送信する（３）。
【０１１１】
会員管理装置５０は、カードＩＤと、４円レートの貯玉数と、２円レートの貯玉数と、１円レートの貯玉数と、会員の氏名などを対応付けた会員データを管理している。会員管理装置５０は、台間カード処理機３０よりカードＩＤ及び設定レートを受信したならば、受信したカードＩＤに対応付けられた貯玉数のうち設定レートに対応するレートの貯玉数を台間カード処理機３０に送信する。
【０１１２】
台間カード処理機３０は、会員管理装置５０より貯玉数を受信して（４）、遊技客の貯玉再プレイ操作を受け付けた場合に、貯玉再プレイ処理を実行する（５）。この貯玉再プレイ処理は、自装置が記憶する貯玉数から所定値を減算し、減算した貯玉数に対応する持玉数を算定する処理である。台間カード処理機３０は、算定した持玉数を台間カード処理機１１０に送信する（６）。これにより、台間カード処理機１１０は、会員管理装置５０で管理する貯玉数を使用することが可能となる。
【０１１３】
次に、図２に示した台間カード処理機３０にカードが挿入された場合の処理手順について説明する。図８は、台間カード処理機３０にカードが挿入された場合の処理手順について説明するフローチャートである。
【０１１４】
図８に示すように、台間カード処理機３０のカード処理部３５ｂは、カードの挿入を検知したならば（ステップＳ１０１；Ｙｅｓ）、挿入されたカードが開放式遊技システム用のカードＣ１であるか否かを判定する（ステップＳ１０２）。
【０１１５】
挿入されたカードが開放式遊技システム用のカードＣ１でない場合（ステップＳ１０２；Ｎｏ）、カード処理部３５ｂは、挿入されたカードを排出して（ステップＳ１１０）、処理を終了する。
【０１１６】
挿入されたカードが開放式遊技システム用のカードＣ１である場合（ステップＳ１０２；Ｙｅｓ）、カード処理部３５ｂは、カードリーダライタ３２によりカードＩＤを読み取らせ、カードＩＤ３４ａとして記憶部３４に記憶させる（ステップＳ１０３）。
【０１１７】
データ管理部３５ａは、記憶部３４の設定レートデータ３４ｃより設定レートを取得し（ステップＳ１０４）、カードＩＤ及び設定レートを第１カード管理装置４０に送信する（ステップＳ１０５）。データ管理部３５ａは、第１カード管理装置４０よりプリペイド価値及び持玉数を受信する（ステップＳ１０６）と、受信したプリペイド価値及び持玉数を台間カード処理機１１０に送信する（ステップＳ１０７）。
【０１１８】
データ管理部３５ａは、カードＩＤ及び設定レートを会員管理装置５０に送信し（ステップＳ１０８）。データ管理部３５ａは、会員管理装置５０より貯玉数を受信して記憶部３４に記憶させ（ステップＳ１０９）、処理を終了する。
【０１１９】
次に、図２に示した台間カード処理機３０の遊技中の処理手順について説明する。図９は、台間カード処理機３０の遊技中の処理手順について説明するフローチャートである。台間カード処理機３０の貯玉再プレイ処理部３５ｄは、遊技客による貯玉再プレイ操作を受け付けたか否かを判定する（ステップＳ２０１）。貯玉再プレイ操作を受け付けたならば、（ステップＳ２０１；Ｙｅｓ）、貯玉再プレイ処理部３５ｄは、記憶部３４の貯玉データ３４ｂが示す貯玉数から所定数を減算し（ステップＳ２０２）、減算した貯玉数に対応する持玉数を算定する（ステップＳ２０３）。貯玉再プレイ処理部３５ｄは、算定した持玉数を台間カード処理機１１０に送信する（ステップＳ２０４）。
【０１２０】
ステップＳ２０４の終了後若しくは貯玉再プレイ操作を受け付けていない場合（ステップＳ２０１；Ｎｏ）、台間カード処理機３０のカード処理部３５ｂは、台間カード処理機１１０よりカード排出指示を受信したか否かを判定する（ステップＳ２０５）。カード排出指示を受信していなければ（ステップＳ２０５；Ｎｏ）、台間カード処理機３０は、ステップＳ２０１に移行する。
【０１２１】
カード排出指示を受信したならば（ステップＳ２０５；Ｙｅｓ）、台間カード処理機３０のデータ管理部３５ａは、台間カード処理機１１０よりプリペイド価値及び持玉数を受信したか否かを判定する（ステップＳ２０６）。
【０１２２】
台間カード処理機１１０よりプリペイド価値及び持玉数を受信したならば（ステップＳ２０６；Ｙｅｓ）、データ管理部３５ａは、受信したプリペイド価値、受信した持玉数、カードＩＤ３４ａ及び設定レートデータ３４ｃを第１カード管理装置４０に送信し、第１カード管理装置４０のカードデータを更新させる（ステップＳ２０７）。
【０１２３】
ステップＳ２０７の終了後、若しくは台間カード処理機１１０よりプリペイド価値及び持玉数を受信していない場合（ステップＳ２０６；Ｎｏ）、データ管理部３５ａは、カードＩＤ３４ａ、貯玉データ３４ｂ及び設定レートデータ３４ｃを読み出して会員管理装置５０に送信し、会員管理装置５０の会員データを更新させる（ステップＳ２０８）。ステップＳ２０８の終了後、カードＩＤ３４ａ及び貯玉データ３４ｂを零にクリアし、カードＣ１の排出（ステップＳ２０９）を行って、台間カード処理機３０は処理を終了する。
【０１２４】
次に、図２に示した台間カード処理機１１０にカードが挿入された場合の処理手順について説明する。図１０は、台間カード処理機１１０にカードが挿入された場合の処理手順について説明するフローチャートである。
【０１２５】
図１０に示すように、台間カード処理機１１０のカード処理部１０ｆ３は、カードの挿入を検知したならば（ステップＳ３０１；Ｙｅｓ）、挿入されたカードが封入式遊技システム用のカードＣ２であるか否かを判定する（ステップＳ３０２）。
【０１２６】
挿入されたカードが封入式遊技システム用のカードＣ２でない場合（ステップＳ３０２；Ｎｏ）、カード処理部１０ｆ３は、挿入されたカードを排出して（ステップＳ３０９）、処理を終了する。
【０１２７】
挿入されたカードが封入式遊技システム用のカードＣ２である場合（ステップＳ３０２；Ｙｅｓ）、カード処理部１０ｆ３は、カードリーダライタ１０ａによりカードＩＤを読み取らせ、カードＩＤ１０ｅ１として記憶部１０ｅに記憶させる（ステップＳ３０３）。
【０１２８】
データ管理部１０ｆ１は、記憶部１０ｅの設定レートデータ１０ｅ４より設定レートを取得し（ステップＳ３０４）、カードＩＤ及び設定レートを第２カード管理装置１４０に送信する（ステップＳ３０５）。データ管理部１０ｆ１は、第２カード管理装置１４０よりプリペイド価値及び持玉数を受信する（ステップＳ３０６）と、受信したプリペイド価値を記憶しプリペイド価値データ１０ｅ３として記憶部１０ｅに記憶させ（ステップＳ３０７）、持玉数を封入式遊技機１２０に送信して（ステップＳ３０８）、処理を終了する。
【０１２９】
次に、図２に示した台間カード処理機１１０の遊技中の処理手順について説明する。図１１は、台間カード処理機１１０の遊技中の処理手順について説明するフローチャートである。台間カード処理機１１０のデータ管理部１０ｆ１は、台間カード処理機３０から持玉数を受信したならば（ステップＳ４０１；Ｙｅｓ）、受信した持玉数を封入式遊技機１２０に送信する（ステップＳ４０２）。
【０１３０】
ステップＳ４０３の終了後、若しくは台間カード処理機３０から持玉数を受信していない場合（ステップＳ４０１；Ｎｏ）、データ管理部１０ｆ１は、台間カード処理機３０よりプリペイド価値を受信したか否かを判定する。データ管理部１０ｆ１は、台間カード処理機３０からプリペイド価値を受信したならば（ステップＳ４０３；Ｙｅｓ）、受信したプリペイド価値をプリペイド価値データ１０ｅ３に加算して記憶させる（ステップＳ４０４）。
【０１３１】
ステップＳ４０４の終了後、若しくは台間カード処理機３０からプリペイド価値を受信していない場合（ステップＳ４０３；Ｎｏ）、データ管理部１０ｆ１は、遊技客による玉貸し操作を受け付けたか否かを判定する（ステップＳ４０５）。玉貸し操作を受け付けたならば、（ステップＳ４０５；Ｙｅｓ）、データ管理部１０ｆ１は、玉貸し処理を行う（ステップＳ４０６）。玉貸し処理は、記憶部３４のプリペイド価値データ１０ｅ３が示すプリペイド価値から所定数を減算して、減算したプリペイド価値に対応する持玉数を封入式遊技機１２０に送信する処理である。
【０１３２】
ステップＳ４０６の終了後、若しくは玉貸し操作を受け付けていない場合（ステップＳ４０５；Ｎｏ）、カード処理部１０ｆ３は、遊技客によるカード返却操作を受け付けたか否かを判定する（ステップＳ４０７）。カード返却操作を受け付けていなければ（ステップＳ４０７；Ｎｏ）、台間カード処理機１１０は、ステップＳ４０１に移行する。
【０１３３】
カード返却操作を受け付けたならば（ステップＳ４０７；Ｙｅｓ）、台間カード処理機１１０のカード処理部１０ｆ３は、カードＣ２が挿入されているか否かを判定する（ステップＳ４０８）。
【０１３４】
カードＣ２が挿入されているならば（ステップＳ４０８；Ｙｅｓ）、データ管理部１０ｆ１は、封入式遊技機１２０から持玉数を取得し、取得した持玉数、プリペイド価値データ１０ｅ３、カードＩＤ３４ａ及び設定レートデータ３４ｃを第２カード管理装置１４０に送信し、第２カード管理装置１４０のカードデータを更新させる（ステップＳ４１０）。
【０１３５】
カードＣ２が挿入されていなければ（ステップＳ４０８；Ｎｏ）、データ管理部１０ｆ１は、封入式遊技機１２０から持玉数を取得し、取得した持玉数とプリペイド価値データ１０ｅ３とを、台間カード処理機３０に送信する（ステップＳ４０９）。
【０１３６】
ステップＳ４０９又はステップＳ４１０の終了後、カードＩＤ１０ｅ１及びプリペイド価値データ１０ｅ３を零にクリアしてカードＣ２を排出し（ステップＳ４１１）、台間カード処理機１１０は処理を終了する。
【０１３７】
上述してきたように、本実施例では、封入式専用のカードＣ２に対応付けられたプリペイド価値及び持玉数を使用する封入式遊技機１２０に台間カード処理機３０を併設し、台間カード処理機３０が開放式用のカードＣ１からカードＩＤを読み取って第１カード管理装置４０に問い合わせ、問い合わせに応答して管理装置から返送されるプリペイド価値及び／又は持玉数を封入式遊技機１２０側に通知するよう構成したので、既存の開放式遊技システムと互換性のない封入式遊技システムが遊技店に新規に一部導入される場合に、遊技客に対して開放式遊技機及び封入式遊技機の双方での円滑な遊技を可能とすることができる。
【０１３８】
また、会員管理装置５０で管理された貯玉については、台間カード処理機３０が貯玉再プレイ操作を受け付けて貯玉の一部を持玉数に換算し、換算した持玉数を封入式遊技機１２０側に通知するよう構成したので、封入式遊技機１２０の遊技に貯玉を使用することが可能となる。
【０１３９】
また、台間カード処理機３０は、封入式遊技機１２０の設定レートを取得し、該設定レートに対応した持玉数及び貯玉数を取得するので、封入式遊技機１２０のレート変更に対応することが可能となる。
【０１４０】
なお、上述の実施例では、遊技機としてパチンコ玉を用いるパチンコ遊技機を例にとって説明したが、本発明はこれに限らず、遊技機がパチンコ玉を用いる回胴式遊技機および遊技メダルを用いる回胴式遊技機であっても適用することができる。つまり、回胴式遊技機においては、上記実施例における特定の遊技領域を遊技球が通過したことによる「入賞」の信号に代えて、複数の回胴上の図柄組み合わせのうち、特定の図柄組み合わせがライン上に揃ったことによる「入賞」の信号を各台間カード処理機１０が受信して処理を行うことで構成が実現できる。
【０１４１】
また、上述の実施例では、説明の便宜上、「複数のレートの中からレートを選択する場合」について説明したが、本発明は、「複数の遊技種の中から遊技種を選択する場合」に適用することもできる。この「遊技種」とは、レートが同一であっても交換率やプレミアの付与率が異なる場合など、運営上遊技に用いる遊技媒体を相互に分別して扱うべきものと定められている種別である。つまり、たとえ同一レートであっても複数の遊技種が存在し得る。
【０１４２】
また、上述の実施例では、台間カード処理機３０に封入式専用のカードＣ２が挿入された場合にはカードＣ２を排出する構成を示したが、台間カード処理機３０が封入式専用のカードＣ２からカードＩＤを読取り可能であるならば、カードＣ２のカードＩＤを読み取って台間カード処理機１１０に送信するよう構成してもよい。この場合、台間カード処理機１１０は、台間カード処理機３０より受信したカードＩＤを用いて第２カード管理装置１４０に問い合わせを行い、プリペイド価値及び持玉数を取得することとなる。また、挿入されたカードＣ２が一般カードであれば、カードＣ２を回収してカードＣ１を発行し、挿入されたカードＣ２が会員カードであればそのまま返却する制御を行ってもよい。
【０１４３】
また、開放式遊技機用の台間カード処理機１０を台間カード処理機３０として台間カード処理機１１０に接続して使用してもよい。この場合、台間カード処理機１１０は、擬似的に遊技機としての信号を台間カード処理機１０に送信し、台間カード処理機１０からの指示を適宜変換して遊技機に送信する。
【０１４４】
また、台間カード処理機３０の機能のうち、プリペイド価値及び持玉に関する機能のみを備えた装置として構成してもよいし、貯玉に関する機能のみを備えた装置として構成してもよい。台間カード処理機３０が貯玉に関する機能のみ（会員機能のみ）を備えた装置として動作する場合には、遊技客の操作によるレート選択を台間カード処理機１１０と台間カード処理機３０の双方で受け付けることとし、カードを受け付けた装置がレート選択可能、他方がレート選択不可能となる。
【０１４５】
また、台間カード処理機１１０と台間カード処理機３０のいずれでレート選択を受け付けるかを上位装置（例えば会員管理装置５０）で設定するようにしてもよい。また、一般カードを挿入してレートを選択して遊技し、会員機能のみを備えた台間カード処理機３０にカードを挿入すると再度レート選択が可能となるように構成してもよい。また、保持している現在の持玉数や貯玉数により台間カード処理機１１０と台間カード処理機３０のいずれでレート選択を受け付けるかを切り替えてもよい。
【０１４６】
台間カード処理機３０が会員機能のみを備える構成とした場合は、台間カード処理機１１０は、会員機能を備えないものとしてもよい。台間カード処理機１１０が会員機能を備えない構成では、会員カード（あるいは後述するように携帯端末等の会員媒体）による会員機能は、台間カード処理機３０のみにて利用可能とし、台間カード処理機３０が会員カードを受け付けたことに応じて、台間カード処理機１１０の一般カードを会員に対応付けて使用可能とするか、会員カードに対応付けて上位装置で管理しているプリペイド価値及び持玉数を台間カード処理機１１０側に送信して使用可能とすることができる。
【０１４７】
また、台間カード処理機３０と同様の構成により開放式遊技システムで管理されたプリペイド価値、持玉数及び貯玉数を取得して、封入式専用のカードＣ２に対応付けることで、従前のカードＣ１からカードＣ２へのデータ移行を実現することも可能である。かかるデータ移行を行う場合には、手数料を課すこととしてもよい。
【０１４８】
また、封入機と開放式の持玉データを別管理し、プリペイド価値は共通で使用可能として、持玉の共通利用は不可能としてもよい。
【０１４９】
また、本実施例では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、台間カード処理機に設けられたリーダライタ（Ｒ／Ｗ）に当該携帯端末を翳すことにより、ＩＣチップとＲ／Ｗとの非接触通信により当該携帯端末と関連付けられたプリペイド価値及び持玉数を取得することができる。
【０１５０】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１５１】
以上のように、本発明に係る遊技システム、各台装置及び遊技管理方法は、既存の開放式遊技システムと互換性のない封入式遊技システムが遊技店に新規に一部導入される場合の、開放式遊技機及び封入式遊技機の双方での円滑な遊技に適している。
【符号の説明】
【０１５２】
１０、３０、１１０    台間カード処理機
１０ａ、３２  カードリーダライタ
１０ｂ  紙幣搬送部
１０ｃ、３３  通信部
１０ｅ、３４  記憶部
１０ｅ１、３４ａ  カードＩＤ
１０ｅ３  プリペイド価値データ
１０ｅ４、３４ｃ  設定レートデータ
１０ｆ、３５    制御部
１０ｆ１、３５ａ    データ管理部
１０ｆ２    紙幣処理部
１０ｆ３、３５ｂ    カード処理部
１０ｆ４    レート設定部
１１    状態表示部
１２    紙幣挿入口
１３、３１    表示操作部
１４、３２ａ    カード挿入口
２０    開放式遊技機
２１    ハンドル
２２    プリペイド価値表示部
２３    持玉数表示部
３５ｃ  レート取得部
３５ｄ  貯玉再プレイ処理部
４０    第１カード管理装置
５０    会員管理装置
７０    景品管理装置
７０ａ、７０ｂ  カードリーダ
９１、９２    通信回線
１２０    封入式遊技機
１４０    第２カード管理装置
Ｃ１、Ｃ２  カード
【図１】
2013138782.tif 000003
【図２】
2013138782.tif 000004
【図３】
2013138782.tif 000005
【図４】
2013138782.tif 000006
【図５】
2013138782.tif 000007
【図６】
2013138782.tif 000008
【図７】
2013138782.tif 000009
【図８】
2013138782.tif 000010
【図９】
2013138782.tif 000011
【図１０】
2013138782.tif 000012
【図１１】
2013138782.tif 000013